(57)【要約】【課題】本発明は自動車用天井内装パネル装置に関し、自動車の既設の天井面に適合して取付ける天井内装ベース板にて内装の模様替えが行え、車内の狭少空間を有効利用して天井内装ベース板に自動車での走行を楽しんだり、身回り品や目的地にて使用される用具等を吊下げる。【解決手段】本実施形態１は、合成樹脂により自動車の天井面２に適合する上面形状に形成され、天井下面に着脱可能に取付けられた天井内装ベース板１と、天井内装ベース板の下面に設けられるレール材３と、案内溝４内に摺動可能に取付けられるアダプタ５と、アダプタを用いて被取付物Ｑを取り付ける。【選択図】図１
2008105557.tif 000002
【特許請求の範囲】
【請求項１】
合成樹脂により自動車の天井面に適合する上面形状に形成され、前記天井下面に着脱可能に取付けられた天井内装ベース板と、
該天井内装ベース板の下面に設けられるレール材と、
該レール材の案内溝内に摺動可能に取付けられるアダプタと、
該アダプタを用いて被取付物を取り付ける、
ことを特徴とした自動車用天井内装パネル装置。
【請求項２】
前記天井内装ベース板は、自動車の天井面に取付けられた室内灯の既設のねじ孔を利用して該ねじ孔内に取付ねじを螺入するとともに、また左右の側面部は自動車の窓部上方の天井面に取付けられたアシストグリップの既設のねじ孔を利用して該ねじ孔内に取付ねじを螺入することにより天井面に取付けられることを特徴とした請求項１に記載の自動車用天井内装パネル装置。
【請求項３】
前記天井内装ベース板は、自動車の天井内装材に開設する開口部内に埋め込まれる内容器の内部上面を介して自動車の天井フレームに取付可能な一方の脚部と、前記天井内装ベース板の裏面に取付可能な他方の脚部とを上下に有する断面略Ｚ字状の取付金具を介して自動車の天井面にねじ止めされることを特徴とした請求項１または２に記載の自動車用天井内装パネル装置。
【請求項４】
前記天井内装ベース板は、該天井内装ベース板の裏面に取付可能な外向きの脚部を左右両端に有する断面略コ字状の取付金具を用いて自動車の天井フレームにねじ止めされることを特徴とした請求項１−３の何れかに記載の自動車用天井内装パネル装置。
【請求項５】
前記天井内装ベース板は、側縁部に自動車の窓部を構成する左右として対向する支柱が嵌入自在となる切欠部が設けられたことを特徴とした請求項１−４の何れかに記載の自動車用天井内装パネル装置。
【請求項６】
前記被取付物が、照明ランプ、イルミネーションランプ、携帯電話ホルダー、化粧鏡、カーテン、また、車載モニター、スピーカー等の電気機器、また、釣り竿、ゴルフパット等の長尺物であることを特徴とした請求項１−５の何れかに記載の自動車用天井内装パネル装置。
【請求項７】
前記アダプタは、断面略コ字状の前記レール材の案内溝内を摺動自在になる断面Ｔ字状の係合子を上面に設けたことを特徴とした請求項１−６の何れかに記載の自動車用天井内装パネル装置。
【請求項８】
前記アダプタは、前記被取付物として前記照明ランプ、前記イルミネーションランプ、
前記車載モニター、前記スピーカー等の電気機器に電気的に接続される配線が配索されたことを特徴とした請求項１−７の何れかに記載の自動車用天井内装パネル装置。
【請求項９】
前記アダプタは、前記車載モニター、スピーカ等の前記被取付物を抱持する正面コ字状のブラケットが下面に設けられたことを特徴とする請求項１−８の何れかに記載の自動車用天井内装パネル装置。
【発明の詳細な説明】
【技術分野】
【０００１】
本発明は自動車用天井内装パネル装置に関し、自動車の既設の天井面に適合して取付ける天井内装ベース板によって内装の模様替えが行えるとともに、車内の狭少空間を有効利用して必要な身回り品や目的地にて使用される用具等を吊下げるようにした。
【背景技術】
【０００２】
従来、自動車は安全走行の観点から車内の周囲環境が設計がなされ、狭少な車内空間を有効利用しようとする工夫がなされている。従って、身回品のような小物は、助手席の前方に通常設けられるコンソ−ルボックス内に収納されたり、また、目的地において使用される用具やバッグ等はトランクルーム内に収納されるのが常であった。
【０００３】
また、狭少な車内空間を有効利用しようとする観点から、従来、被取付物として車両のルームランプを乗員が使用する際、天井面に設けたガイドレールにより案内されてルームランプが自動的に乗員の登場場所に移動自在となり、必要個所での照明を行う車両の可動式ルームランプががあった（例えば特許文献１参照）。
【特許文献１】特開平５−１５５２９０公報
【発明の開示】
【発明が解決しようとする課題】
【０００４】
そして、自動車に搭乗しての走行には必要となる多くの身回品があり、しかも、走行において楽しみや工夫を施すには必要となる器具、用具、物品、備品が必要になるが、車内は狭少であり、安全走行に邪魔にならないようも、その設置個所に困っていた。
【０００５】
本発明は上記課題に鑑み、自動車用天井内装パネル装置に関し、自動車の既設の天井面への取付・取外しが迅速かつ確実に行え、模様替えができるとともに、車内の狭少空間を有効利用して天井内装ベース板に走行に必要となる多くの身回品や走行において楽しみや工夫を施したり、または目的地にて使用される等の多くの器具、用具、物品、備品等を吊下げることができ、また、構造堅牢にして強度が大であり、しかも、汚れを生じた場合の水拭きも容易で衛生的であり、さらには、量産可能で製作コストも安価な自動車用天井内装パネル装置を提供することを目的とする。
【課題を解決するための手段】
【０００６】
本発明の請求項１に記載の発明は、
合成樹脂により自動車の天井面に適合する上面形状に形成され、前記天井下面に着脱可能に取付けられた天井内装ベース板と、
該天井内装ベース板の下面に設けられるレール材と、
該レール材の案内溝内に摺動可能に取付けられるアダプタと、
該アダプタを用いて被取付物を取り付けることを特徴とした。
【０００７】
また、本発明の請求項２の発明は、請求項１において、前記天井内装ベース板は、自動車の天井面に取付けられた室内灯の既設のねじ孔を利用して該ねじ孔内に取付ねじを螺入するとともに、また左右の側面部は自動車の窓部上方の天井面に取付けられたアシストグリップの既設のねじ孔を利用して該ねじ孔内に取付ねじを螺入することにより天井面に取付けられることを特徴とした。
【０００８】
また、本発明の請求項３の発明は、請求項１または２において、前記天井内装ベース板は、自動車の天井内装材に開設する開口部内に埋め込まれる内容器の内部上面を介して自動車の天井フレームに取付可能な一方の脚部と、前記天井内装ベース板の裏面に取付可能な他方の脚部とを上下に有する断面略Ｚ字状の取付金具を介して自動車の天井面にねじ止めされることを特徴とした。
【０００９】
また、本発明の請求項４に記載の発明は、請求項１−３の何れかにおいて、前記天井内装ベース板は、該天井内装ベース板の裏面に取付可能な外向きの脚部を左右両端に有する断面略コ字状の取付金具を用いて自動車の天井フレームにねじ止めされることを特徴とした。
【００１０】
また、本発明の請求項５に記載の発明は、請求項１−４の何れかにおいて、前記天井内装ベース板は、側縁部に自動車の窓部を構成する左右として対向する支柱が嵌入自在となる切欠部が設けられたことを特徴とした。
【００１１】
また、本発明の請求項６に記載の発明は、請求項１−５の何れかにおいて、前記被取付物が、照明ランプ、イルミネーションランプ、携帯電話ホルダー、化粧鏡、カーテン、また、車載モニター、スピーカー等の電気機器、また、釣り竿、ゴルフパット等の長尺物であることを特徴とした。
【００１２】
また、本発明の請求項７に記載の発明は、請求項１−６の何れかにおいて、前記アダプタは、断面略コ字状の前記レール材の案内溝内を摺動自在になる断面Ｔ字状の係合子を上面に設けたことを特徴とした。
【００１３】
また、本発明の請求項８に記載の発明は、請求項１−７の何れかにおいて、前記アダプタは、前記被取付物として前記照明ランプ、前記イルミネーションランプ、前記車載モニター、前記スピーカー等の電気機器に電気的に接続される配線が配索されたことを特徴とした。
【００１４】
また、本発明の請求項９に記載の発明は、請求項１−８の何れかにおいて、前記アダプタは、前記車載モニター、スピーカ等の前記被取付物を抱持する正面コ字状のブラケットが下面に設けられたことを特徴とする。
【発明の効果】
【００１５】
本発明の請求項１に記載の発明によれば、合成樹脂により自動車の天井面に適合する上面形状に形成され、前記天井下面に着脱可能に取付けられた天井内装ベース板と、該天井内装ベース板の下面に設けられるレール材と、該レール材の案内溝内に摺動可能に取付けられるアダプタと、該アダプタを用いて被取付物を取り付ける、ことを特徴としたので、
自動車の既設の天井面への取付・取外しが迅速かつ確実に行え、模様替えができるとともに、車内の狭少空間を有効利用して天井内装ベース板に走行に必要となる多くの身回品や走行において楽しみや工夫を施したり、または目的地にて使用される等の多くの器具、用具、物品、備品等が吊下げることができる。さらには構造堅牢にして強度が大であり、汚れを生じた場合の水拭きも容易で衛生的であり、量産可能で製作コストも安価である。
【００１６】
また、本発明の請求項２の発明によれば、前記天井内装ベース板は、自動車の天井面に取付けられた室内灯の既設のねじ孔を利用して該ねじ孔内に取付ねじを螺入するとともに、また、左右の側面部は自動車の窓部上方の天井面に取付けられたアシストグリップの既設のねじ孔を利用して該ねじ孔内に取付ねじを螺入することにより天井面に取付けられることを特徴としたので、自動車の既設の天井面への天井内装ベース板の取付・取外しが迅速かつ確実に行え、模様替えができる。また、天井内装ベース板は、合成樹脂により形成されているので、剛性を発揮し、構造堅牢にして強度が大であり、汚れを生じた場合に水拭きも容易で衛生的である。
【００１７】
また、本発明の請求項３の発明によれば、前記天井内装ベース板は、自動車の天井内装材に開設する開口部内に埋め込まれる内容器の内部上面を介して自動車の天井フレームに取付可能な一方の脚部と、前記天井内装ベース板の裏面に取付可能な他方の脚部とを上下に有する断面略Ｚ字状の取付金具を介して自動車の天井面にねじ止めされることを特徴としたので、自動車の既設の天井面への天井内装ベース板の取付・取外しが迅速かつ確実に行え、模様替えができる。
【００１８】
また、本発明の請求項４に記載の発明によれば、前記天井内装ベース板は、該天井内装ベース板の裏面に取付可能な外向きの脚部を左右両端に有する断面略コ字状の取付金具を用いて自動車の天井フレームにねじ止めされることを特徴としたので、自動車の既設の天井面への天井内装ベース板の取付・取外しが迅速かつ確実に行え、模様替えができる。
【００１９】
また、本発明の請求項５に記載の発明によれば、前記天井内装ベース板は、側縁部に自動車の窓部を構成する左右として対向する支柱が嵌入自在となる切欠部が設けられたことを特徴としたので、自動車の既設の天井面への天井内装ベース板の位置決めが精度良く行え、取付・取外しが迅速かつ確実に行え、模様替えができる。
【００２０】
また、本発明の請求項６に記載の発明によれば、前記被取付物が、照明ランプ、イルミネーションランプ、携帯電話ホルダー、化粧鏡、カーテン、また、車載モニター、スピーカー等の電気機器、また、釣り竿、ゴルフパット等の長尺物であることを特徴としたので、走行に必要となる多くの身回品や走行において楽しみや工夫を施したり、または目的地にて使用される等の多くの器具、用具、物品、備品等を天井内装ベース板に吊下げることができ、車内の狭少空間を有効利用できる。
【００２１】
また、本発明の請求項７に記載の発明によれば、前記アダプタは、断面略コ字状の前記レール材の案内溝内を摺動自在になる断面Ｔ字状の係合子を上面に設けたことを特徴としたので、走行に必要となる多くの身回品や走行において楽しみや工夫を施したり、または目的地にて使用される等の多くの器具、用具、物品、備品等をレール材の摺動溝を摺動自在となるアダプタにより天井内装ベース板の所望位置に吊下げることができ、車内の狭少空間を有効利用できる。
【００２２】
また、本発明の請求項８に記載の発明によれば、前記アダプタは、前記被取付物として前記照明ランプ、前記イルミネーションランプ、前記車載モニター、前記スピーカー等の電気機器に電気的に接続される配線が配索されたことを特徴としたので、電気機器に対する電線の配索が容易かつ確実になり、走行中での照明を行うことができたり、走行中に映像を見たり、音楽を聴く等の楽しみが増える。
【００２３】
また、本発明の請求項９に記載の発明によれば、前記アダプタは、前記車載モニター、スピーカ等の前記被取付物を抱持する正面コ字状のブラケットが下面に設けられたことを特徴とするので、車載モニター、前記スピーカー等のレール材に対する取付がブラケットと協同して迅速かつ確実に行える。
【発明を実施するための最良の形態】
【００２４】
以下、図面に従って本発明の実施の最良の形態により、本発明の詳細を説明する。
【００２５】
図１は本発明の自動車用天井内装パネル装置の実施形態１を示す斜視図、図２は同じく本発明の自動車用天井内装パネル装置の実施形態１を示す拡大断面図、図３は同じく本発明の自動車用天井内装パネル装置の実施形態１を示し、天井内装ベース板のフロント部を室内灯を取付けるためのねじ手段を利用して取付けた状態の拡大断面図、図４は同じく天井内装ベース板の側壁部をアシストグリップ部を取付けるためのねじ手段を利用して取付けた状態の拡大断面図、図５は同じく天井内装ベース板のリア部をアクセサリーフックを利用して取付けるためのねじ手段を利用して取付けた状態の拡大断面図、図６は同じく天井内装ベース板のリア部をフレーム取付穴を利用して取付けた状態の拡大断面図、図７は同じく被取付物として車載モニターを取付けた状態の斜視図、図８は同じく被取付物として釣り竿を取付けた状態の斜視図、図９は同じく本実施形態１を構成するレール材を示す拡大斜視図である。
【００２６】
本実施形態１は、合成樹脂により自動車の天井面２に適合する上面形状に形成され、前記天井２下面に着脱可能に取付けられた天井内装ベース板１と、該天井内装ベース板１の下面に設けられるレール材３と、該レール材３の案内溝４内に摺動可能に取付けられるアダプタ５と、該アダプタ５を用いて被取付物Ｑを取り付ける、ことを特徴とした。
【００２７】
前記天井内装ベース板１は、例えばＡＢＳ樹脂、変性ＰＰＥ樹脂等、強度が大きく、汚れにくい合成樹脂により形成される。
【００２８】
この天井内装ベース板３を自動車の天井面２に取付けるのには、図１、図３、図４に示すように、天井内装ベース板３の前方部Ｆは室内灯Ｌの既設のねじ孔６を利用して該ねじ孔６内に取付ねじ７を螺入するとともに、また、左右の側面部Ｓ,Ｓは自動車の窓部８上方の天井面２に取付けられたアシストグリップ９の既設のねじ孔１０を利用して該ねじ孔１０内に取付ねじ７を螺入することにより天井面２に取付けられる。
【００２９】
また、前記天井内装ベース板１は、その後方部Ｒが、図１、図５に示すようにアクセサリーフックＡ．Ｃを利用し、自動車の天井内装材１１に開設する開口部１１ａ内に埋め込まれる内容器１２の内部上面１２ａを介して自動車の天井フレーム１３に取付可能な一方の脚部１４ａと、前記天井内装ベース板１の裏面に取付可能な他方の脚部１４ｂとを上下に有する断面略Ｚ字状の取付金具１４を介して自動車の天井面２にねじ止めされる。また、天井内装ベース板１の後方部Ｒは、図１、図６に示すように、車両フレーム取付孔部Ｎを利用し、天井内装ベース板１の裏面に取付可能な外向きの脚部１５ａ１５ｂを左右両端に有する断面略コ字状の取付金具１５を用いて自動車の天井フレーム１３にねじ止めされる。
【００３０】
１６Ａ,１６Ｂ；１６Ｃ,１６Ｄは前記天井内装ベース板１の側縁部に設けられた切欠部であり、この１６Ａ,１６Ｂ；１６Ｃ,１６Ｄには自動車の窓部８を構成する左右対向する支柱１７Ａ,１７Ｂ；１７Ｃ,１７Ｄが嵌入自在となることにより自動車の既設の天井面２への天井内装ベース板１の位置決めが精度良く行え、取付・取外しを迅速かつ確実に行うためのものである。
【００３１】
また、前記レール材３は、例えばアルミニウムを押出成型することにより、下面中央には長手方向に解放部３ａが設けられ、内部には該解放部３ａに連続する前記案内溝４が設けられた断面略コ字状に長尺に形成される。そして、このレール材３は、リベット、またはねじ等を用いて前記天井内装ベース板１に取付けられる。また、このレール材３の設置個数、設置長さ、さらにはレール材３,３相互の設置幅は自由に設定される。
【００３２】
また、前記アダプタ５は、断面略コ字状の前記レール材３の案内溝４内を摺動自在になる断面Ｔ字状の係合子５ａを上面に設けている。この係合子５ａは垂直軸により軸着することにより水平に回動可能に設けることもできる。
【００３３】
前記被取付物Ｑが、例えば、照明ランプＬ１、イルミネーションランプ、携帯電話ホルダー、化粧鏡、カーテン、また、車載モニター１７、スピーカー等の電気機器、また、釣り竿１８、ゴルフパット等の長尺物がある。
【００３４】
また、前記アダプタ５は、被取付物Ｑが前記車載モニター１７、スピーカ等である場合には、前記被取付物Ｑを抱持するための正面コ字状のブラケット１９が下面に設けられたことにより、車載モニター１７、前記スピーカー等のレール材３に対する取付がブラケット１９と協同して迅速かつ確実に行える。
【００３５】
また、前記アダプタ５は、前記被取付物Ｑとして前記照明ランプＬ１、前記イルミネーションランプ、前記車載モニター１７、前記スピーカー等の電気機器である場合に、前記レール材３の案内溝４の内側には電気的に接続される配線２０が配索されている。
【００３６】
本発明の自動車用天井内装パネル装置の実施形態１は以上の構成からなり、天井内装ベース板３を自動車の天井面２に取付けるのには、天井内装ベース板３の前方部Ｆは室内灯Ｌの既設のねじ孔６を利用して該ねじ孔６内に取付ねじ７を螺入して取付けられるとともに、また、左右の側面部Ｓ,Ｓは自動車の窓部８上方の天井面２に取付けられたアシストグリップ９の既設のねじ孔１０を利用して該ねじ孔１０内に取付ねじ７を螺入して取付けられる。
【００３７】
また、前記天井内装ベース板１は、その後方部Ｒが、図１、図５に示すようにアクセサリーフックＡ．Ｃを利用し、自動車の天井内装材１１に開設する開口部１１ａ内に埋め込まれる内容器１２の内部上面１２ａを介して自動車の天井フレーム１３に一方の脚部１４ａと、前記天井内装ベース板１の裏面に他方の脚部１４ｂとを上下に有する断面略Ｚ字状の取付金具１４を介して自動車の天井面２に取付ねじ７にてねじ止めされる。また、天井内装ベース板１の後方部Ｒは、図１，図６に示すように、車両フレーム取付孔部Ｎを利用し、該天井内装ベース板１の裏面に取付可能な外向きの脚部１５ａ１５ｂを左右両端に有する断面略コ字状の取付金具１５を用いて自動車の天井フレーム１３に取付ねじ７にてねじ止めされ、取付けられる。
【００３８】
この際、図１に示すように、天井内装ベース板１の側縁部に設けられた切欠部１６Ａ,１６Ｂ；１６Ｃ,１６Ｄ内に自動車の窓部８を構成する左右対向する支柱１７Ａ,１７Ｂ；１７Ｃ,１７Ｄを嵌入することにより自動車の既設の天井面２への天井内装ベース板１の位置決めが前後、左右とも精度良く行える。
【００３９】
このようにして、自動車の既設の天井面２に、例えばＡＢＳ樹脂、変性ＰＰＥ樹脂等の合成樹脂により形成された天井内装ベース板１を、容易かつ迅速に取付けることができ、天井面２の模様替えが簡単に行える。しかも、天井内装ベース板１は、前述のように例えばＡＢＳ樹脂、ＰＰＥ樹脂等の強度が大きく、汚れにくい合成樹脂により形成されているので、構造堅牢にして強度が大であり、汚れを生じた場合に、水拭きも容易であるため、衛生的であり、量産可能で製作コストも安価になる。
【００４０】
また、天井内装ベース板１の下面に取付けられた断面略コ字状のレール材３の案内溝４内には断面Ｔ字状の係合子５ａが摺動自在になるアダプタ５を設けているので、自動車を走行する上で必要となる多くの身回品や走行において楽しみや工夫を施したり、または目的地にて使用される等の多くの器具、用具、物品、備品等の被取付物Ｑ、例えば、照明ランプＬ１、イルミネーションランプ、携帯電話ホルダー、化粧鏡、カーテン、また、車載モニター１７、スピーカー等の電気機器、また、釣り竿１８、ゴルフパット等の長尺物を天井内装ベース板１の下面にアダプタ５を介して取付け、吊下げることができる。
【００４１】
このアダプタ５へ被取付物Ｑを取付けるのには、ねじ止め、接着等の何れの固着手段を採用して取付けられるが、被取付物Ｑが車載モニター１７、スピーカ等である場合には、例えば、図７に示すように、被取付物Ｑを抱持する正面コ字状のブラケット１９をアダプタ５の下面に設けているので、このブラケット１９により車載モニター１７、前記スピーカー等を抱着することにより、レール材３に対してアダプタ５とブラケット１９とを協同して天井内装ベース板１の下面に車載モニター１７、前記スピーカー等の被取付物Ｑを摺動可能に迅速かつ確実に取付けることができ、走行中に映像を見たり、音楽を聴く等の楽しみが増える。
【００４２】
また、前記アダプタ５の係合子５ａは、レール材３に設けた案内溝４内に摺動自在に取付けられているので、係合子５ａをレール材３の案内溝４内において摺動させることにより被取付物Ｑの設置位置を使用に都合の良い位置に簡単かつ確実に調整することができる。また、アダプタ５は垂直軸により軸着することにより水平に回動可能に設ければ、照明ランプ、イルミネーションランプ、車載モニター１７、スピーカー等の電気機器の設置方向を前記垂直軸を中心に回動操作することにより被取付物を使用の適正方向に容易かつ確実に変更することができる。
【００４３】
また、前記アダプタ５は、前記被取付物Ｑとして照明ランプＬ１、イルミネーションランプ、車載モニター１７、スピーカー等の電気機器である場合に、前記レール材３の案内溝４の内側には図９に示すように配線２０が配索されているので、この配線２０を用いて照明ランプＬ１、イルミネーションランプ、車載モニター１７、スピーカー等の電気機器に容易かつ確実に電気的に接続することができ、走行中での照明を行うことができたり、走行中に映像を見たり、音楽を聴く等の楽しみが増える。従って、照明ランプＬ１、イルミネーションランプ、車載モニター１７、スピーカー等の電気機器に対して格別な電気配線処理を行わなくても済むので、配線処理の手間を簡略化できるとともに、配線２０がレール材３内に隠されるため、外部から配線が見えるという外観的な不体裁がなく、綺麗な仕上がりにて配線が行える。
【００４４】
そして、前記被取付物Ｑが、図８に示すように例えば、釣り竿１８、ゴルフパット等の長尺物である場合には、アダプタ５の下面に吊りフック２１を装着することにより、この吊りフック２１を用いて釣り竿１８、ゴルフパット等の長尺物を天井内装ベース板１の下面に容易かつ確実に吊り下げることができる。
【００４５】
このようにして、自動車の走行に必要となる多くの身回品や走行において楽しみや工夫を施したり、または目的地にて使用される等の多くの器具、用具、物品、備品等の被取付物Ｑを、既設の天井面２に適合するように取付けられた天井内装ベース板１の下面に設けたレール材３を摺動自在となるアダプタ５により天井内装ベース板１の所望位置に吊下げることができ、車内の狭少空間を有効利用できる。
【００４６】
この際、天井内装ベース板１は、前述のように例えばＡＢＳ樹脂、変性ＰＰＥ樹脂等の、強度が大きな合成樹脂により形成されているので、大きな強度を発揮し、被取付物Ｑの荷重に充分に耐えることができる。
【００４７】
また、天井内装ベース板３を自動車の天井面２から取外すのには、取付時とは逆の手順操作を行うことにより天井内装ベース板３を自動車の天井面２から取外すことができる。
【産業上の利用可能性】
【００４８】
本発明は自動車の既設の天井面への取付・取外しが迅速かつ確実に行え、模様替えができるとともに、車内の狭少空間を有効利用して天井内装ベース板に走行に必要となる多くの身回品や走行において楽しみや工夫を施したり、または目的地にて使用される等の多くの器具、用具、物品、備品等を吊下げることができ、また、構造堅牢にして強度が大であり、しかも、汚れを生じた場合の水拭きも容易で衛生的であり、さらには、量産可能で製作コストも安価になるという用途・機能に適する。
【図面の簡単な説明】
【００４９】
【図１】図１は本発明の自動車用天井内装パネル装置の実施形態１を示す斜視図である。
【図２】図２は同じく本発明の自動車用天井内装パネル装置の実施形態１を示す拡大断面図である。
【図３】図３は同じく本発明の自動車用天井内装パネル装置の実施形態１を示し、天井内装ベース板のフロント部を室内灯を取付けるためのねじ手段を利用して取付けた状態の拡大断面図である。
【図４】図４は同じく天井内装ベース板の側壁部をアシストグリップ部を取付けるためのねじ手段を利用して取付けた状態の拡大断面図である。
【図５】図５は同じく天井内装ベース板のリア部をアクセサリーフックを利用して取付けるためのねじ手段を利用して取付けた状態の拡大断面図である。
【図６】図６は同じく天井内装ベース板のリア部をフレーム取付穴を利用して取付けた状態の拡大断面図である。
【図７】図７は同じく被取付物として車載モニターを取付けた状態の斜視図である。
【図８】図８は同じく被取付物として釣り竿を取付けた状態の斜視図である。
【図９】図９は同じく本実施形態１を構成するレール材を示す拡大斜視図である。
【符号の説明】
【００５０】
１      天井内装ベース板
２      天井面
３      レール材
４      案内溝
５      アダプタ
５ａ    係合子
８      窓部
９      アシストグリップ
１４    取付金具
１５    取付金具
Ｆ      前方部
Ｒ      後方部
Ｓ      側壁部
【図１】
2008105557.tif 000003
【図２】
2008105557.tif 000004
【図３】
2008105557.tif 000005
【図４】
2008105557.tif 000006
【図５】
2008105557.tif 000007
【図６】
2008105557.tif 000008
【図７】
2008105557.tif 000009
【図８】
2008105557.tif 000010
【図９】
2008105557.tif 000011